【手続補正書】
【提出日】平成19年7月6日(2007.7.6)
【手続補正１】
【補正対象書類名】明細書
【補正対象項目名】特許請求の範囲
【補正方法】変更
【補正の内容】
【特許請求の範囲】
【請求項１】  入出力端子と、前記入出力端子に直接接続する電極の少なくとも一部を一方の電極とし、他方の電極は前記入出力端子に直接接続するコンデンサを少なくとも１つ有し、前記入出力端子に直接接続する電極と前記コンデンサとが並列回路を形成したことを特徴とする積層フィルタ。
【請求項２】  複数個の共振器と、前記共振器間を結合する段間結合コンデンサと、前記共振器と前記入出力端子とを結合する入出力結合コンデンサとからなることを特徴とする請求項１記載の積層フィルタ。
【請求項３】  前記コンデンサは、前記入出力結合コンデンサの前記入出力端子に直接接続する電極から分岐した伝送線路の少なくとも一部を一方の電極とすることを特徴とする請求項２記載の積層フィルタ。
【請求項４】  前記並列回路の共振周波数が前記積層フィルタの減衰帯にあることを特徴とする請求項２記載の積層フィルタ。
【請求項５】  前記並列回路が双方の前記入出力端子に形成されていることを特徴とする請求項２記載の積層フィルタ。
【請求項６】  前記入出力端子に直接接続する双方の電極間を接続する伝送線路と、複数個のコンデンサと、複数個の共振器を有し、前記伝送線路と前記共振器とをそれぞれ前記コンデンサで接続したことを特徴とする請求項１記載の積層フィルタ。
【請求項７】  前記入出力端子に直接接続する双方の電極間を接続する伝送線路と、前記伝送線路とグランドとを結合するコンデンサとからなることを特徴とする請求項１記載の積層フィルタ。
【請求項８】  前記入出力端子に直接接続する双方の電極に一部が重なるように配置した少なくとも一つの伝送線路と、前記伝送線路とグランドとの間を接続する伝送線路とからなることを特徴とする請求項１記載の積層フィルタ。
【請求項９】  入出力端子に直接接続する電極の少なくとも一部、または前記入出力端子に直接接続する電極から分岐した伝送線路の少なくとも一部を一方の電極とし、他方の電極は前記入出力端子に直接接続するコンデンサを少なくとも１つ有し、前記入出力端子に直接接続する電極と前記コンデンサとが並列回路を形成した積層フィルタを２個有し、前記２個の積層フィルタの前記並列回路を形成している側の入出力端子を接続して共通端子としたことを特徴とする共用器。
【請求項１０】  前記２個の積層フィルタを第１のフィルタと第２のフィルタにて構成し、前記第１のフィルタは、複数個の第１の共振器と、前記第１の共振器間を結合する段間結合コンデンサと、前記第１の共振器と前記入出力端子とを結合する入出力結合コンデンサとからなり、前記第２のフィルタは、前記入出力端子に直接接続する双方の電極間を接続する伝送線路と、複数個のコンデンサと、複数個の第２の共振器を有し、前記伝送線路と前記第２の共振器とをそれぞれ前記コンデンサで接続した構造から成る、請求項９記載の共用器。
【請求項１１】  前記第１のフィルタは第１の帯域を減衰帯とし、第２の帯域を通過帯とし、かつ、前記第１のフィルタの前記並列回路の共振周波数が、前記第１の帯域の近傍にあり、前記第２のフィルタは第１の帯域を通過帯とし、第２の帯域を減衰帯とし、かつ、前記第２のフィルタの前記並列回路の共振周波数が、前記第２の帯域の近傍にあることを特徴とする請求項１０記載の共用器。
【請求項１２】  前記第１のフィルタは第１の帯域を通過帯とし、第２の帯域を減衰帯とし、かつ、前記第１のフィルタの前記並列回路の共振周波数が、前記第２の帯域の近傍にあり、前記第２のフィルタは第１の帯域を減衰帯とし、第２の帯域を通過帯とし、かつ、前記第２のフィルタの前記並列回路の共振周波数が、前記第１の帯域の近傍にあることを特徴とする請求項１０記載の共用器。
【請求項１３】  誘電体内に前記第１および第２のフィルタを含んだ一体化構造を有することを特徴とする請求項１０記載の共用器。
【請求項１４】  複数個の第１の共振器と、前記第１の共振器間を結合する第１の段間結合コンデンサと、前記第１の共振器と前記入出力端子とを結合する第１の入出力結合コンデンサとからなる第１のフィルタと、複数個の第２の共振器と、前記第２の共振器間を結合する第２の段間結合コンデンサと、前記第２の共振器と前記入出力端子とを結合する第２の入出力結合コンデンサとからなる第２のフィルタで構成された請求項９記載の共用器。
【請求項１５】  前記入出力端子に直接接続する双方の電極間を接続する第１の伝送線路と、複数個の第１のコンデンサと、複数個の第１の共振器を有し、前記第１の伝送線路と前記第１の共振器とをそれぞれ前記第１のコンデンサで接続した構造から成る第１のフィルタと、前記入出力端子に直接接続する双方の電極間を接続する第２の伝送線路と、複数個の第２のコンデンサと、複数個の第２の共振器を有し、前記第２の伝送線路と前記第２の共振器とをそれぞれ前記第２のコンデンサで接続した構造から成る第２のフィルタで構成された請求項９記載の共用器。
【請求項１６】  複数個の共振器と、前記共振器間を結合する段間結合コンデンサと、前記共振器と前記入出力端子とを結合する入出力結合コンデンサとからなる第１のフィルタと、前記入出力端子に直接接続する双方の電極間を接続する伝送線路と、前記伝送線路とグランドとを結合するコンデンサとからなる第２のフィルタで構成された請求項９記載の共用器。
【請求項１７】  前記入出力端子に直接接続する双方の電極に一部が重なるように配置した少なくとも一つの伝送線路と、前記伝送線路とグランドとの間を接続する伝送線路とからなる第１のフィルタと、複数個の共振器と、前記共振器間を結合する段間結合コンデンサと、前記共振器と前記入出力端子とを結合する入出力結合コンデンサとからなる第２のフィルタで構成された請求項９記載の共用器。
【請求項１８】  前記入出力端子に直接接続する双方の電極に一部が重なるように配置した少なくとも一つの伝送線路と、前記伝送線路とグランドとの間を接続する伝送線路とからなる第１のフィルタと、前記入出力端子に直接接続する双方の電極間を接続する伝送線路と、複数個のコンデンサと、複数個の共振器を有し、前記伝送線路と前記共振器とをそれぞれ前記コンデンサで接続した構造から成る第２のフィルタで構成された請求項９記載の共用器。
【請求項１９】  前記入出力端子に直接接続する双方の電極間を接続する伝送線路と、複数個のコンデンサと、複数個の共振器を有し、前記伝送線路と前記共振器とをそれぞれ前記コンデンサで接続した構造から成る第１のフィルタと、前記入出力端子に直接接続する双方の電極間を接続する伝送線路と、前記伝送線路とグランドとを結合するコンデンサとからなる第２のフィルタで構成された請求項９記載の共用器。
【請求項２０】  前記入出力端子に直接接続する双方の電極に一部が重なるように配置した少なくとも一つの伝送線路と、前記伝送線路とグランドとの間を接続する伝送線路とからなる第１のフィルタと、前記入出力端子に直接接続する双方の電極間を接続する伝送線路と、前記伝送線路とグランドとを結合するコンデンサとからなる第２のフィルタで構成された請求項９記載の共用器。
【請求項２１】  請求項１ないし８のいずれかに記載の積層フィルタを用いたことを特徴とする移動体通信機器。
【請求項２２】  請求項９ないし２０のいずれかに記載の共用器を用いたことを特徴とする移動体通信機器。